(57)【要約】【課題】簡素な構成にして、活水中の添加成分濃度を簡単かつ精度良く調節できる水処理装置を得る。【解決手段】通水路２に設置されて添加剤３１を有する添加成分溶出部３と、この添加成分溶出部３を作動する駆動部４と、この駆動部４による添加成分溶出部３の作動量を制御する制御部５と、を備え、添加成分を通水路２内の水に溶出させて水質改善する。添加成分溶出部３は、円柱状に成形した添加剤３１の外側を、それの中心軸方向に相対移動自在に覆うカバー３２を有し、そのカバー３２と添加剤３１との相対移動により、添加剤３１と通水路２内の水Ｗとの接触面積を可変として、添加成分の溶出量を調節する。【選択図】図１
2010274147.tif 000002
【特許請求の範囲】
【請求項１】
添加剤の成分を通水路内の水に溶出させて水質改善する水処理装置において、
前記添加剤の外側を相対移動自在に覆うカバーを有し、当該カバーと添加剤との相対移動により、前記添加剤と前記通水路内の水との接触面積を可変とする添加成分溶出部と、
当該添加成分溶出部の添加剤とカバーとを相対移動させる駆動部と、
当該駆動部による添加成分溶出部の添加剤とカバーとの相対移動量を制御する制御部と
を備えることを特徴とする水処理装置。
【請求項２】
前記添加成分溶出部は、前記添加剤が前記通水路内に固定的に配置されるとともに、前記カバーは通水路の内外を移動自在としたことを特徴とする請求項１に記載の水処理装置。
【請求項３】
前記添加成分溶出部は、前記カバーが前記通水路の外側に、当該通水路内に連通させて固定的に配置されるとともに、前記添加剤はカバー内と通水路内とを移動自在としたことを特徴とする請求項１に記載の水処理装置。
【請求項４】
前記添加剤は、前記カバーとの相対移動方向に対する所定長さあたりの表面積が変化される外側形状であることを特徴とする請求項１〜３のいずれか１つに記載の水処理装置。
【請求項５】
前記添加成分溶出部は、前記添加剤が前記カバー内に完全に収納された状態で、当該カバーの添加剤出入口を密閉する蓋体を備えることを特徴とする請求項１〜４のいずれか１つに記載の水処理装置。
【請求項６】
前記添加剤は、粒状添加剤と、当該粒状添加剤を封入する多孔質容器と、からなることを特徴とする請求項１〜５のいずれか１つに記載の水処理装置。
【発明の詳細な説明】
【技術分野】
【０００１】
本発明は、添加剤の成分を水中に溶出させて水質改善する水処理装置に関する。
【背景技術】
【０００２】
従来、ミネラルなどの添加成分の含有量がそれぞれ異なる活水材（添加剤）を充填した複数の通水路を設け、それら各通水路の入口と出口にそれぞれ設けた通水制御弁を開閉制御することにより、給水口から供給される水のミネラル分を調節できるようになった活水器（水処理装置）が提案されている（例えば、特許文献１参照）。
【０００３】
かかる活水器では、最もミネラル含有量が少ない活水材の通水路のみを開弁した場合には、最低濃度のミネラル分を含む活水を生成できる一方、全ての通水路を開弁した場合には、最高濃度のミネラル分を含む活水を生成できる。そして、それら最低濃度と最高濃度のミネラル分を決定する開弁状態の間で、その他の複数の通水制御弁を選択的に開閉制御することにより、活水中のミネラル分を最低濃度と最高濃度との間で調節できる。
【先行技術文献】
【特許文献】
【０００４】
【特許文献１】特開平１０−１５５６４号公報
【発明の概要】
【発明が解決しようとする課題】
【０００５】
しかしながら、上記従来技術では、所望のミネラル分を含む活水を生成するためには、複数の通水路にそれぞれ設けた複数の通水制御弁を複雑な組み合わせで開閉制御する必要がある。このため、複数の通水制御弁の制御操作が複雑化されてしまうことと相俟って、活水器の構造自体も複雑化され、組み立てやメンテナンスが困難になってしまう。
【０００６】
そこで、本発明は、簡素な構成にして活水中の添加成分濃度を簡単かつ精度良く調節できる水処理装置を得ることを目的とする。
【課題を解決するための手段】
【０００７】
請求項１の発明にあっては、添加剤の成分を通水路内の水に溶出させて水質改善する水処理装置において、前記添加剤の外側を相対移動自在に覆うカバーを有し、当該カバーと添加剤との相対移動により、前記添加剤と前記通水路内の水との接触面積を可変とする添加成分溶出部と、当該添加成分溶出部の添加剤とカバーとを相対移動させる駆動部と、当該駆動部による添加成分溶出部の添加剤とカバーとの相対移動量を制御する制御部とを備えることを特徴とする。
【０００８】
請求項２の発明にあっては、前記添加成分溶出部は、前記添加剤が前記通水路内に固定的に配置されるとともに、前記カバーは通水路の内外を移動自在としたことを特徴とする。
【０００９】
請求項３の発明にあっては、前記添加成分溶出部は、前記カバーが前記通水路の外側に、当該通水路内に連通させて固定的に配置されるとともに、前記添加剤はカバー内と通水路内とを移動自在としたことを特徴とする。
【００１０】
請求項４の発明にあっては、前記添加剤は、前記カバーとの相対移動方向に対する所定長さあたりの表面積が変化される外側形状であることを特徴とする。
【００１１】
請求項５の発明にあっては、前記添加成分溶出部は、前記添加剤が前記カバー内に完全に収納された状態で、当該カバーの添加剤出入口を密閉する蓋体を備えることを特徴とする。
【００１２】
請求項６の発明にあっては、前記添加剤は、粒状添加剤と、当該粒状添加剤を封入する多孔質容器と、からなることを特徴とする。
【発明の効果】
【００１３】
請求項１の発明によれば、添加剤の外側を相対移動自在にカバーで覆うという簡素な構成をもって添加成分溶出部が構成されており、駆動部によって添加剤とカバーとを相対移動させることにより、添加剤と通水路内の水との接触面積を可変とすることができる。また、駆動部による添加剤とカバーとの相対移動量は制御部により制御できるようになっており、添加剤の成分が溶出されて生成される活水中の添加成分濃度を、簡素な構成にして簡単かつ精度良く調節できる。
【００１４】
請求項２の発明によれば、前記添加成分溶出部は、添加剤を通水路内に固定的に配置して、カバーを通水路の内外に移動自在としたので、相対移動する添加剤とカバーのうち、カバーのみを駆動部によって移動させればよく、駆動部の構成を簡素化することができる。
【００１５】
請求項３の発明によれば、前記添加成分溶出部は、前記カバーを通水路の外側に固定的に配置して、添加剤をカバー内と通水路内とを移動自在としたので、相対移動する添加剤とカバーのうち、添加剤のみを駆動部によって移動させればよく、駆動部の構成を簡素化することができる。
【００１６】
請求項４の発明によれば、前記添加剤の外側形状を、カバーとの相対移動方向に対する所定長さあたりの表面積が変化されるようにしたので、添加剤とカバーとを相対移動させた際に、その一定の相対移動量に対して、添加剤と水との接触面積変化量を変化させることができ、より精度の高い添加成分濃度の制御が可能となる。
【００１７】
請求項５の発明によれば、前記添加成分溶出部は、前記添加剤が前記カバー内に完全に収納された状態、つまり、添加成分を水に溶出させる必要の無い状態では、カバーの添加剤出入口が蓋体により密閉されるので、その添加剤出入口から無駄に添加成分が溶出するのを防止できる。
【００１８】
請求項６の発明によれば、前記添加剤は、多孔質容器に粒状添加剤を封入して形成されたので、通水路内の水は粒状添加剤と接触しつつ多孔質容器を通過する。このとき、粒状添加剤は水との接触面積が大きいため、添加成分を効率良く溶出させることができ、ひいては、添加成分溶出部の小型化を図ることができる。
【図面の簡単な説明】
【００１９】
【図１】本発明の第１実施形態にかかる水処理装置で、添加剤を全開した状態の断面図である。
【図２】図１に示す水処理装置で、添加剤を全閉した状態の断面図である。
【図３】図１中III−III線に沿った拡大断面図である。
【図４】本発明の第２実施形態にかかる水処理装置で、添加剤を全閉した状態の断面図である。
【図５】図４に示す水処理装置で、添加剤を全開した状態の断面図である。
【図６】本発明の第２実施形態に示した添加剤の変形例を（ａ）および（ｂ）にそれぞれ示す断面図である。
【図７】本発明の第３実施形態にかかる水処理装置で、添加剤を全閉した状態の断面図である。
【図８】図７に示す水処理装置で、添加剤を全開した状態の断面図である。
【図９】本発明の第４実施形態にかかる水処理装置で、添加剤を全閉した状態の断面図である。
【図１０】図９に示す水処理装置で、添加剤を全開した状態の断面図である。
【発明を実施するための形態】
【００２０】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２１】
[第１実施形態]
図１〜図３は、本発明にかかる水処理装置１の第１実施形態を示し、この水処理装置１は、通水路２に設置されて添加剤３１を有する添加成分溶出部３と、この添加成分溶出部３を作動して添加剤３１の成分（添加成分）を水に溶出させる駆動部４と、この駆動部４による添加成分溶出部３の作動量（添加成分の溶出量）を制御する制御部５と、を備えて構成されている。そして、添加剤３１よりも上流側（図中左側）に配置した図示せぬ原水供給源から処理前の水を通水路２内に導入し、添加剤７に接触させることでミネラル水を下流側から吐出するようにしている。
【００２２】
添加剤３１は、添加成分を水中に溶出させる目的で使用されるものであり、目的の成分もしくは目的の成分を含む材料を固形状に成形して用いるようになっている。たとえば、ミネラル成分を添加しようとする場合は、カルシウムやマグネシウムを含む各種塩類であり、美容成分を添加しようとする場合は、ビタミン類やヒアルロン酸およびセラミドなどの単体もしくは複数の混合体が用いられる。なお、添加剤３１の成分材料を成形した場合に、その形状が容易に崩壊してしまう場合には、セルロース系のバインダーを用いることが好ましい。そして、このように固形化した添加剤３１は、水中に浸漬することにより目的の成分が徐々に溶出される。
【００２３】
添加成分溶出部３は、図２に示すように、円柱状に成形した添加剤３１の外側を、それの中心軸方向（図中上下方向）に相対移動自在に覆うカバー３２を有し、図１に示すように、そのカバー３２と添加剤３１との相対移動により、添加剤３１と通水路２内の水Ｗとの接触面積が連続的に可変となっている。そして、その添加剤３１と水Ｗとの接触面積に応じて、添加成分の溶出量を調節できる。
【００２４】
カバー３２は、円柱状とした添加剤３１の外側にほぼ沿った有底筒状に形成され、一端側（図中下方）が開放されて添加剤出入口３２ａとなるとともに、他端側が端板３２ｂによって閉止されている。そして、カバー３２は、それの添加剤出入口３２ａから添加剤３１を取り込み、その添加剤３１の外側を覆うようになっている。
【００２５】
このとき、添加成分溶出部３は、添加剤３１が通水路２内に固定的に配置されるとともに、カバー３２は通水路２の内外を移動自在となっている。
【００２６】
即ち、添加剤３１の基端部３１ａには、その添加剤３１の成形時に固定板３３がアンカー部３３ａを介して結合されており、その固定板３３の外周に形成した雄ねじ部３３ｂが、通水路２の駆動部４の配置側とは反対側（図中下方）の壁面２ａに形成した雌ねじ部２ｂに液密に螺合固定される。このとき、固定板３３の通水路２内に面した外周部には、添加剤３１と同心状のテーパ内面３３ｃが形成されている。
【００２７】
カバー３２は、添加剤３１と同軸上に配置され、通水路２の上記壁面２ａに対向する壁面２ｃに固定されたガイド筒３４の内側に摺動自在に嵌合されている。ガイド筒３４は、一端部に形成した雄ねじ部３４ａが、通水路２の壁面２ｃに形成した雌ねじ部２ｄに液密に螺合固定され、その固定部分から通水路２の外方（図中上方）に向かって突出されている。
【００２８】
そして、カバー３２は、ガイド筒３４の内側に嵌合された状態で中心軸方向に移動案内され、図１に示すように、カバー３２がガイド筒３４の突出方向（図中上方）に最も移動した状態では、カバー３２が添加剤３１から完全に離脱して、添加剤３１の全体が通水路２内の水Ｗに晒された状態、つまり、添加剤３１の全開状態となる。
【００２９】
また、図２に示すように、カバー３２がガイド筒３４から抜け出る方向（図中下方）に最も移動した状態では、カバー３２が添加剤３１の外側を完全に覆って、添加剤３１の全体が通水路２内の水Ｗと遮断された状態、つまり、添加剤３１の全閉状態となる。
【００３０】
このとき、カバー３２の添加剤出入口３２ａの外周部に形成した厚肉部には、固定板３３に形成したテーパ内面３３ｃに密接するテーパ外面３２ｃが形成されており、図２に示す添加剤３１の全閉状態で、それらテーパ内面３３ｃとテーパ外面３２ｃとが液密に密接される。
【００３１】
また、カバー３２とガイド筒３４の相対移動部分となる側壁間には、図３に示すように、カバー３２の外側に移動方向に沿って形成した溝部３２ｄと、ガイド筒３４の内側に突設して上記溝部３２ｄに摺動自在に係合する突部３４ｂと、からなる回転ストッパー部３５が設けられている。なお、ストッパー部３５は、溝部をガイド筒３４に設け、突部をカバー３２に設けてもよい。
【００３２】
駆動部４は、カバー３２をそれの中心軸方向に往復移動させるようになっており、主に、カバー３２の中心軸方向を回転中心とするロータ部４１と、このロータ部４１の外周を囲繞するステータ部４２と、を備えた電動機４Ｍとして構成される。
【００３３】
ロータ部４１は、短い円柱状に形成された樹脂マグネット４１１と、この樹脂マグネット４１１の中心に一体化された回転軸４１２と、によって構成される。回転軸４１２は、樹脂マグネット４１１からカバー３２の内方に向かって延設され、その延設部に雄ねじ部４１２ａが形成されている。雄ねじ部４１２ａを形成した延設部は、カバー３２の端板３２ｂの中心部に形成した雌ねじ部３２ｅに螺合して貫通されている。
【００３４】
したがって、ロータ部４１に伴って回転軸４１２が回転すると、雄ねじ部４１２ａと雌ねじ部３２ｅとの相対回転により、カバー３２は、ロータ部４１の回転方向によって、図１に示す添加剤３１の全開状態と、図２に示す添加剤３１の全閉状態と、の間で移動する。
【００３５】
なお、駆動部４は、ロータ部４１に回転軸４１２を直結して、ロータ部４１と回転軸４１２とを等回転としたが、それらロータ部４１と回転軸４１２との間にギアボックスを介在させて、ロータ部４１の回転を変速して回転軸４１２に伝達させてもよい。
【００３６】
ステータ部４２は、樹脂マグネット４１１の外周面に所定間隔を隔てて対向するコイル４２１を有し、このコイル４２１には制御基板５１で制御された電流が入力される。そして、コイル４２１が、入力された電流により励磁されると、樹脂マグネット４１１に回転モーメントが発生されてロータ部４１が回転する。
【００３７】
ロータ部４１とステータ部４２とは、ガイド筒３４の上端に設置される有底筒状の分離壁４４によって仕切られるとともに、ステータ部４２は通水路２の壁面２ｃに設置されるケース４５に支持される。
【００３８】
また、分離壁４４のガイド筒３４とは反対側の端部を閉止した閉止板４４１の内側中央部にボス部４４１ａが形成され、このボス部４４１ａに回転軸４１２の雄ねじ部４１２ａを形成した側とは反対側の端部４１２ｂが回転自在に支持される。
【００３９】
ケース４５は、ステータ部４２を支持する中間壁４５１が設けられ、この中間壁４５１の中央部に形成した雌ねじ部４５１ａに、ガイド筒３４の他端部に形成した雄ねじ部３４ｃが螺合して結合される。また、ケース４５のステータ部４２を囲繞する外側壁４５２と中間壁４５１とで囲まれるステータ収納部には、ステータ部４２および制御基板５１を液密に封入する樹脂モールドなどの封止材４６が充填されている。
【００４０】
制御部５は、上述の制御基板５１と、この制御基板５１にリード線５Ｌを介して接続したコントローラ（中央制御部）５２と、によって構成され、そのコントローラ５２に設けた操作部（入力手段）５３で、添加成分濃度が設定されるようになっている。
【００４１】
即ち、操作部５３で添加成分濃度の設定条件を入力すると、その設定値に対応した制御条件がコントローラ５２からリード線５Ｌを介して制御基板５１に出力され、その制御基板５１によってステータ部４２に供給する電流の制御条件（電流値や電流を流す方向および時間など）が決定される。したがって、ステータ部４２に制御条件に沿った磁力が発生されることにより、ロータ部４１は、決定された回転数をもって回転し、回転軸４１２が回転される。また、制御基板５１は、ロータ部４１の回転数をフィードバック制御する機能を備える。
【００４２】
そして、回転軸４１２が回転すると、カバー３２は回転ストッパー部３５により回転が阻止されているため、雄ねじ部４１２ａと雌ねじ部３２ｅとの相対回転によって、カバー３２がそれの中心軸方向に移動する。このとき、ロータ部４１は制御条件によって回転数が限定されているため、回転軸４１２は目的の回転数に達したところで回転が停止し、これによってカバー３２の移動も停止される。つまり、カバー３２が移動することにより添加剤３１の露出量が変化され、所定の回転数に達したところで添加剤３１の露出量が決定される。
【００４３】
そして、添加剤３１が露出した部分が通水路２内の水Ｗと接触し、添加剤３１の添加成分がその接触面積に応じた量だけ水Ｗ中に溶出し、添加成分濃度が決定される。
【００４４】
以上の構成により、本実施形態の水処理装置１によれば、添加剤３１の外側を相対移動自在にカバー３２で覆うという簡素な構成をもって添加成分溶出部３が構成されており、駆動部４によって添加剤３１とカバー３２とを相対移動させることにより、添加剤３１と通水路２内の水Ｗとの接触面積を可変とすることができる。また、駆動部４による添加剤３１とカバー３２との相対移動量は制御部５により制御できるようになっており、添加剤３１の成分が溶出されて生成される活水中の添加成分濃度を、簡素な構成にして簡単かつ精度良く調節できる。
【００４５】
また、本実施形態では、添加成分溶出部３は、添加剤３１を通水路２内に固定的に配置して、カバー３２を通水路２の内外に移動自在としたので、相対移動する添加剤３１とカバー３２のうち、カバー３２のみを駆動部４によって移動させればよく、駆動部４の構成を簡素化することができる。
【００４６】
[第２実施形態]
次に、本発明の第２実施形態について図面を参照して説明する。図４および図５は本実施形態にかかる水処置装置を示した図である。
【００４７】
本実施形態の水処理装置１Ａは、基本的に第１の実施形態と同様に、添加成分溶出部３Ａ、駆動部４および制御部５を備えて概ね構成され、添加成分溶出部３Ａは、添加剤３１と、この添加剤３１の外側を相対移動自在に覆うカバー３２Ｋと、によって構成される。なお、本実施形態では、カバー３２Ｋとして第１の実施形態に示したガイド筒３４が用いられる。
【００４８】
ここで、本実施形態の水処理装置１Ａが第１の実施形態の水処理装置１と主に異なる点は、添加成分溶出部３Ａは、カバー３２Ｋを通水路２の外側に、この通水路２内に連通させて固定的に配置してあるとともに、添加剤３１をカバー３２Ｋ内と通水路２内とを移動自在としたことにある。
【００４９】
すなわち、本実施形態では、第１の実施形態に示した可動式のカバー３２を廃止して、通水路２の壁面２ｃに固定されたガイド筒３４をカバー３２Ｋとして用いてあり、そのカバー３２Ｋ内に添加剤３１が出没自在に収納される。このとき、カバー３２Ｋの通水路２側の連通口が添加剤出入口３２Ｋａとなる。
【００５０】
したがって、図４に示すように、添加剤３１がカバー３２Ｋ内に完全に収納された状態では、添加剤３１の全体が通水路２内の水Ｗと遮断された状態、つまり、添加剤３１の全閉状態となる。また、図５に示すように、添加剤３１がカバー３２Ｋから突出して、添加剤３１のほぼ全体が通水路２内の水Ｗ内に晒された状態では、添加剤３１の全開状態となる。
【００５１】
添加剤３１は、第１の実施形態と同様に円柱状に成形されるが、そのとき、カバー３２Ｋの奥側（図中上方）となる添加剤３１の端部には、ロータ部４１の回転軸４１２に形成した雄ねじ部４１２ａに螺合する雌ねじ部３６ａを中心部に形成した可動板３６が埋設されている。
【００５２】
可動板３６は、添加剤３１の中心部に形成した中心穴３１ｈに挿入される円管部３６Ｐを一体に突設してあり、その円管部３６Ｐの内側にも雄ねじ部４１２ａが連続して形成されている。なお、可動板３６の厚さを十分に取って、雌ねじ部３６ａと雄ねじ部４１２ａとの螺合強度を十分に確保する限りにおいて、円管部３６Ｐは必ずしも必要では無い。
【００５３】
また、カバー３２Ｋの奥側には、ロータ部４１の樹脂マグネット４１１と添加剤３１の収納部とを仕切る仕切り壁３４１が設けられており、その仕切り壁３４１の中央部に回転軸４１２を液密に挿通する挿通穴３４１ａが形成されている。
【００５４】
さらに、本実施形態では、図示は省略したが、回転ストッパー部は、カバー３２Ｋの内側と添加剤３２または可動板３６の外側との間に設けられる。
【００５５】
したがって、本実施形態では、ロータ部４１に伴って回転軸４１２が回転すると、回転軸４１２の雄ねじ部４１２ａと可動板３６の雌ねじ部３６ａとが相対回転して、添加剤３１は、ロータ部４１の回転方向によって、図４に示す全閉状態と図５に示す全開状態との間で移動する。
【００５６】
以上の構成により、本実施形態の水処理装置１Ａによれば、上記第１実施形態と同様に、添加剤３１の外側を相対移動自在にカバー３２Ｋで覆い、それら添加剤３１とカバー３２Ｋとを相対移動させることにより、活水中の添加成分濃度を、簡素な構成にして簡単かつ精度良く調節できる。
【００５７】
このとき、本実施形態では、添加成分溶出部３Ａは、カバー３２Ｋを通水路２の外側に、この通水路２内に連通させて固定的に配置し、添加剤３１をカバー３２Ｋ内と通水路２内とを移動自在としたので、相対移動する添加剤３１とカバー３２Ｋのうち、添加剤３１のみを駆動部４によって移動させればよく、駆動部４の構成を簡素化することができる。
【００５８】
なお、本実施形態および以下に述べる第３および第４実施形態では、分離壁４４とケース４５の中間壁４５１とが一体に成形されているが、機能上は上記第１実施形態とほぼ同様である。
【００５９】
図６（ａ）、（ｂ）は、上記第２実施形態の第１の変形例および第２の変形例をそれぞれ示し、それぞれの変形例は、添加剤３１を、カバー３２Ｋとの相対移動方向に対する所定長さあたりの表面積が変化される外側形状としてある。
【００６０】
すなわち、同図（ａ）に示す第１の変形例は、添加剤３１の外側形状が、カバー３２Ｋから突出する方向（図中下方）に向かって徐々に縮径するテーパ状に形成されている。
【００６１】
また、同図（ｂ）に示す第２の変形例は、添加剤３１の外側形状が、外方に向かって膨出する緩やかな曲面に形成されつつ、カバー３２Ｋから突出する方向に向かって徐々に縮径されている。
【００６２】
したがって、第１の変形例では、添加剤３１の外側形状がテーパ状に形成されたことにより、カバー３２Ｋとの相対移動方向に対する所定長さあたりの表面積が変化される外側形状となっており、また、第２の変形例では、添加剤３１の外側形状が縮径を伴った曲面とされることにより、カバー３２Ｋとの相対移動方向に対する所定長さあたりの表面積が変化される外側形状となっている。
【００６３】
以上の構成により、第１および第２の変形例では、添加剤３１の表面積は、第２の実施形態に比べて、カバー３２Ｋから突出する方向に向かって単位長さあたりの表面積が小さくなり、低濃度側に添加成分を制御する場合に、その添加成分濃度の調整をより細かくできる。
【００６４】
なお、添加剤３１の外側形状は、カバー３２Ｋの奥側（図中上方）に向かって縮径して、逆の制御、つまり、高濃度側で添加成分濃度を細かく制御することもできる。
【００６５】
また、添加剤３１の外側形状は、上述の第１および第２の変形例に限ることなく、段差を有する階段状に変化させてもよく、また、内方に湾曲させてもよく、さらには、カバー３２Ｋとの相対移動方向に延びる溝を部分的に設けたものでもよい。
【００６６】
[第３実施形態]
次に、本発明の第３実施形態について図面を参照して説明する。図７および図８は本実施形態にかかる水処置装置を示した図である。
【００６７】
本実施形態の水処理装置１Ｂは、基本的に第２の実施形態と同様に、第１の実施形態に示したガイド筒３４をカバー３２Ｋとして、このカバー３２Ｋに出没自在に添加剤３１を嵌合して添加成分溶出部３Ｂが構成されている。
【００６８】
ここで、本実施形態の水処理装置１Ｂが第２の実施形態の水処理装置１Ａと主に異なる点は、添加成分溶出部３Ｂは、添加剤３１がカバー３２Ｋ内に完全に収納された状態（図７参照）で、そのカバー３２Ｋの添加剤出入口３２Ｋａを密閉する蓋体３７を備えたことにある。
【００６９】
蓋体３７は、添加剤３１の外径よりも大径の閉止板３７１を有し、その閉止板３７１の添加剤３１側周縁部から環状突部３７２が突設されており、添加剤３１の成形時に、環状突部３７２が添加剤３１の外周に食い込んで一体化されるようになっている。このとき、環状突部３７２の内周は、添加剤３１との結合力を高めるために凹凸形状となっている。
【００７０】
一方、カバー３２Ｋの添加剤出入口３２Ｋａには、面取り状のテーパ部３４ｄが形成されており、蓋体３７で添加剤出入口３２Ｋａを密閉した際に、環状突部３７２の外周に嵌着したＯリング３７３が、上記テーパ部３４ｄに圧接して液密性が高められるようになっている。
【００７１】
以上の構成により、第３の実施形態の水処理装置１Ｂによれば、図８に示すように、添加剤３１をカバー３２Ｋから突出させた状態では、その添加剤３１に伴って蓋体３７がカバー３２Ｋから離れた状態となる。
【００７２】
一方、図７に示すように、添加剤３１をカバー３２Ｋ内に完全に収納した状態では、蓋体３７が添加剤３１に伴ってカバー３２Ｋ方向に移動して添加剤出入口３２Ｋａを密閉する。
【００７３】
したがって、添加成分溶出部３Ｂは、添加剤３１がカバー３２Ｋ内に完全に収納された状態、つまり、添加成分を水に溶出させる必要の無い状態では、カバー３２Ｋの添加剤出入口３２Ｋａが蓋体３７により密閉されるので、その添加剤出入口３２Ｋａから無駄に添加成分が溶出するのを防止できる。
【００７４】
なお、本実施形態のカバー３２Ｋの添加剤出入口３２Ｋａを密閉する蓋体３７を備えた構造は、第２の実施形態の添加成分溶出部３Ａに適用した場合を開示したが、第１の実施形態の添加成分溶出部３にあっても適用することができ、この場合は、図１および図２に示すように、固定板３３がその蓋体に相当することになる。
【００７５】
[第４実施形態]
次に、本発明の第４実施形態について図面を参照して説明する。図９および図１０は本実施形態にかかる水処置装置を示した図である。
【００７６】
図９に示すように、本実施形態の水処理装置１Ｃは、基本的に第２の実施形態と同様に、第１の実施形態に示したガイド筒３４をカバー３２Ｋとして、このカバー３２Ｋに出没自在に添加剤３１Ａを嵌合して添加成分溶出部３Ｃが構成されている。また、第３の実施形態と同様に、添加剤３１Ａがカバー３２Ｋ内に完全に収納された状態で、そのカバー３２Ｋの添加剤出入口３２Ｋａが蓋体３７で密閉される。
【００７７】
ここで、本実施形態の水処理装置１Ｃが第２の実施形態の水処理装置１Ａと主に異なる点は、添加剤３１Ａを、粒状添加剤３１Ｇと、この粒状添加剤３１Ｇを封入し粒状添加剤３１Ｇの通過を阻止しつつ水Ｗの通過を許容する多孔質容器３８と、によって構成したことにある。
【００７８】
粒状添加剤３１Ｇは、添加剤を粒状に加工したもので、その粒状添加剤３１Ｇを封入する多孔質容器３８は、粒状添加剤３１Ｇの通過を阻止しつつ水Ｗの通過を許容する材料で形成されればよく、たとえば、不織布やメッシュもしくは多孔質の焼結板などを用いることができる。
【００７９】
多孔質容器３８は円筒状に形成されており、それのカバー３２Ｋからの突出側（図中下方）端部は上記蓋体３７で閉止されるとともに、反対側となるカバー３２Ｋの奥側端部は閉止板３８１で閉止されている。閉止板３８１の中央部には、回転軸４１２を挿通する開口部３８１ａが形成されるとともに、その開口部３８１ａの周縁部に、多孔質容器３８の内方に突出する円管部３８２が一体に突設され、それら開口部３８１ａおよび円管部３８２の内側に、回転軸４１２の雄ねじ部４１２ａに螺合する雌ねじ部３８２ａが形成されている。
【００８０】
そして、第２の実施形態と同様に、図９に示すように、添加剤３１Ａが、カバー３２Ｋ内に完全に収納された状態では、添加剤３１Ａの全体が通水路２内の水Ｗと遮断された状態、つまり、添加剤３１Ａの全閉状態となる。また、図１０に示すように、添加剤３１Ａがカバー３２Ｋから突出して、添加剤３１Ａのほぼ全体が通水路２内の水Ｗ内に晒された状態、つまり、添加剤３１Ａの全開状態となる。
【００８１】
以上の構成により、第４の実施形態の水処理装置１Ｃによれば、添加剤３１Ａを、多孔質容器３８に粒状添加剤３１Ｇを封入して形成したので、通水路２内の水Ｗは粒状添加剤３１Ｇと接触しつつ多孔質容器３８を通過する。このとき、粒状添加剤３１Ｇは水Ｗとの接触面積が大きいため、添加成分を効率良く溶出させることができ、ひいては、添加成分溶出部３Ｃの小型化を図ることができる。
【００８２】
以上、本発明の好適な実施形態について説明したが、本発明は上記実施形態には限定されず、種々の変形が可能である。例えば、制御部５によるカバー３２または添加剤３１、３１Ａの移動制御は、連続的に行うことなく、予め数箇所の位置を設定して多段階的に移動させてもよい。
【符号の説明】
【００８３】
１、１Ａ、１Ｂ、１Ｃ  水処理装置
２  通水路
３、３Ａ、３Ｂ、３Ｃ  添加成分溶出部
３１、３１Ａ  添加剤
３１Ｇ  粒状添加剤
３２、３２Ｋ  カバー
３２ａ、３２Ｋａ  添加剤出入口
３７  蓋体
３８  多孔質容器
４  駆動部
５  制御部
Ｗ  水
【図１】
2010274147.tif 000003
【図２】
2010274147.tif 000004
【図３】
2010274147.tif 000005
【図４】
2010274147.tif 000006
【図５】
2010274147.tif 000007
【図６】
2010274147.tif 000008
【図７】
2010274147.tif 000009
【図８】
2010274147.tif 000010
【図９】
2010274147.tif 000011
【図１０】
2010274147.tif 000012